(57)【要約】【課題】薬剤を混合して調製する際の、調製に関する情報を調剤者・医療従事者に認識し易くし、かつ、調剤者・医療従事者による人為的ミスを防止し、調製の信頼性を高めることが可能な薬剤用バイアルを提供すること。【解決手段】アルミ製キャップが装着されている薬剤充填バイアルであって、アルミ製キャップに装着され、少なくともアルミ製キャップの上面を覆う透明プラスチック製保護キャップを更に有し、アルミ製キャップの上面に「薬剤を溶解または希釈するための溶解液」の情報Ａが表示されており、保護キャップをアルミ製キャップに装着した状態で上面から観察した時、保護キャップの、有色ゴム栓に対応する部分に、「薬剤」の情報Ｂが表示されており、保護キャップが装着された状態で、保護キャップを介して、情報Ａおよび情報Ｂを共に視認することができる、薬剤充填バイアル。【選択図】図２
2019177040.tif 000002
【特許請求の範囲】
【請求項１】
有色ゴム栓で密封された開口部の外周に、アルミニウム製キャップの上面と下面の中央に前記有色ゴム栓を露出する開口を有するアルミニウム製キャップが装着されている薬剤充填バイアルであって、
前記薬剤充填バイアルは、前記アルミニウム製キャップに装着され、少なくとも前記アルミニウム製キャップの上面を覆う透明プラスチック製保護キャップを更に有し、
前記アルミニウム製キャップの上面に「薬剤を溶解または希釈するための溶解液」の情報Ａが表示されており、
前記保護キャップを前記アルミニウム製キャップに装着した状態で上面から観察した時、前記保護キャップの、前記有色ゴム栓に対応する部分に、「薬剤」の情報Ｂが表示されており、
前記保護キャップが装着された状態で、前記保護キャップを介して、前記情報Ａおよび前記情報Ｂを共に視認することができることを特徴とする、薬剤充填バイアル。
【請求項２】
前記保護キャップが装着された状態で、前記保護キャップを介して、前記情報Ａ、前記情報Ｂおよび前記有色ゴム栓を共に視認することができることを特徴とする、請求項１に記載の薬剤充填バイアル。
【請求項３】
前記情報Ｂの文字の色が、前記保護キャップを前記アルミニウム製キャップに装着した状態で上面から観察した時、前記有色ゴム栓と重なった状態で視認可能な色である、請求項１又は２に記載の薬剤充填バイアル。
【発明の詳細な説明】
【技術分野】
【０００１】
本発明は、薬剤充填バイアルに関する。
【背景技術】
【０００２】
主に医療現場で使用されるバイアルなどの容器の胴部（側面）には、薬剤名、内容量、製造番号、使用期限、製薬会社名、バーコードなどの情報が記載されたラベルが貼り付けられている。
【０００３】
例えば、特許文献１には、使用者が容器の蓋に内容物の情報を簡単かつ確実に表示することができる容器の周面に貼り付けられる容器用表示ラベルが開示されている。
【先行技術文献】
【特許文献】
【０００４】
【特許文献１】実用新案登録第３１２５９０６号公報
【発明の概要】
【発明が解決しようとする課題】
【０００５】
薬剤容器に収納される薬剤のなかには、使用時に他の溶媒（溶解液）や薬剤と混合して使用する薬剤がある。このような薬剤としては、例えば、必要な成分を凍結、乾燥させ、粉末状にした凍結乾燥薬剤などが挙げられる。凍結乾燥薬剤は、容器内の薬剤に溶解液が添加されていないため、化学的に安定で、長期保存ができるなどのメリットがある。さらに、凍結乾燥薬剤の場合、各薬剤容器にそれに必要な少量の溶解液を付属させるよりも、大容量の溶解液を別途準備すれば、流通段階で溶解液を付属させることを省くことができるため、運搬コストや薬剤としてのコストが軽減され、患者の最終的な医療費負担が軽減されるメリットもある。
【０００６】
凍結乾燥薬剤のような、使用時に他の溶解液や薬剤と混合して医薬を調製する必要のある薬剤の場合、薬剤師や医師などの調剤者・医療従事者による薬剤ラベルの読み間違えなどによる、使用する溶解液の種類の取り違え、添加する溶解液等の量の間違いなど、調剤時の人為的ミス（調剤過誤）を生ずるおそれがある。
【０００７】
そして、通常、バイアルやアンプルなどの薬剤容器は小型であり、その小型の容器に貼り付けされるラベルも小さく、情報を記載するスペースが限られているため、使用時に他の溶解液や薬剤と混合して医薬を調製するための情報は、文字が非常に小さくなったり、ラベルにその情報を記載するスペース自体がない場合もある。それにより、調剤時の人為的ミスが生ずるおそれが高くなってしまう。
【０００８】
さらに、上述したような、バイアルを用いた調剤行為を立ちながら行う場合、テーブルに置かれたバイアルを上から見下ろす形となることが多く、バイアルの胴部のラベルの記載は読みにくいという問題がある。
【０００９】
そこで、薬剤を混合して調製する際の、調製に関する情報を調剤者・医療従事者に認識し易くし、かつ、調剤者・医療従事者による人為的ミスを防止し、調製の信頼性を高めることが可能な薬剤充填バイアルを提供することを目的とする。
【課題を解決するための手段】
【００１０】
本発明に係る薬剤充填バイアルは、
有色ゴム栓で密封された開口部の外周に、アルミニウム製キャップの上面と下面の中央に前記有色ゴム栓を露出する開口を有するアルミニウム製キャップが装着されている薬剤充填バイアルであって、
前記薬剤充填バイアルは、前記アルミニウム製キャップに装着され、少なくとも前記アルミニウム製キャップの上面を覆う透明プラスチック製保護キャップを更に有し、
前記アルミニウム製キャップの上面に「薬剤を溶解または希釈するための溶解液」の情報Ａが表示されており、
前記保護キャップを前記アルミニウム製キャップに装着した状態で上面から観察した時、前記保護キャップの、前記有色ゴム栓に対応する部分に、「薬剤」の情報Ｂが表示されており、
前記保護キャップが装着された状態で、前記保護キャップを介して、前記情報Ａおよび前記情報Ｂを共に視認することができることを特徴とする、薬剤充填バイアルである。これにより、薬剤を混合して調製する際の、調製に関する情報を調剤者・医療従事者に認識し易くし、かつ、調剤者・医療従事者による人為的ミスを防止し、調製の信頼性を高めることが可能である。
【００１１】
本発明に係る薬剤充填バイアルは、前記保護キャップが装着された状態で、前記保護キャップを介して、前記情報Ａ、前記情報Ｂおよび前記有色ゴム栓を共に視認することができることが好ましい。
【００１２】
本発明に係る薬剤充填バイアルは、前記情報Ｂの文字の色が、前記保護キャップを前記アルミニウム製キャップに装着した状態で上面から観察した時、前記有色ゴム栓と重なった状態で視認可能な色であることができることが好ましい。
【発明の効果】
【００１３】
本発明によれば、薬剤を混合して調製する際の、調製に関する情報を調剤者・医療従事者に認識し易くし、かつ、調剤者・医療従事者による人為的ミスを防止し、調製の信頼性を高めることが可能である。
【図面の簡単な説明】
【００１４】
【図１】図１は、本発明に係る薬剤充填バイアルの一例の側面図を示した模式図である。
【図２】図２は、本発明に係る薬剤充填バイアルの一例の縦断面図を示した模式図である。
【図３】図３は、図１の薬剤充填バイアルの別の一例の縦断面図を示した模式図である。
【図４】図４は、本発明に係る薬剤充填バイアルのアルミニウム製キャップに保護キャップが装着された状態のキャップ部分の一例の平面図を示した模式図である。
【図５】図５は、図４のキャップ部分から保護キャップを取り外した状態の平面図を示した模式図である。
【発明を実施するための形態】
【００１５】
以下、本発明の実施形態について説明する。これらの記載は、本発明の例示を目的とするものであり、本発明を何ら限定するものではない。
【００１６】
（薬剤充填バイアル）
本発明に係る薬剤充填バイアルは、
有色ゴム栓で密封された開口部の外周に、アルミニウム製キャップの上面と下面の中央に前記有色ゴム栓を露出する開口を有するアルミニウム製キャップが装着されている薬剤充填バイアルであって、
前記薬剤充填バイアルは、前記アルミニウム製キャップに装着され、少なくとも前記アルミニウム製キャップの上面を覆う透明プラスチック製保護キャップを更に有し、
前記アルミニウム製キャップの上面に「薬剤を溶解または希釈するための溶解液」の情報Ａが表示されており、
前記保護キャップを前記アルミニウム製キャップに装着した状態で上面から観察した時、前記保護キャップの、前記有色ゴム栓に対応する部分に、「薬剤」の情報Ｂが表示されており、
前記保護キャップが装着された状態で、前記保護キャップを介して、前記情報Ａおよび前記情報Ｂを共に視認することができることを特徴とする、薬剤充填バイアルである。これにより、薬剤を混合して調製する際の、調製に関する情報を調剤者・医療従事者に認識し易くし、かつ、調剤者・医療従事者による人為的ミスを防止し、調製の信頼性を高めることが可能である。
【００１７】
以下、図面を参照して本発明を例示説明するが、本発明の理解を優先しているため、図面の各構成の寸法は、実際の寸法と異なる場合がある。また、図中、各部材の形状、位置をより明確に示すため、各部材を接せずに離して表示している場合がある。
【００１８】
図１は、本発明に係る薬剤充填バイアルの一例の側面図を示した模式図である。薬剤充填バイアル１は、有色ゴム栓で密封されたバイアル１０と、バイアル１０の開口部の外周に装着されたアルミニウム製キャップ２０を有し、バイアル１０内に薬剤３０が充填されている。また、薬剤充填バイアル１は、アルミニウム製キャップ２０に装着され、少なくともアルミニウム製キャップ２０の上面を覆う透明プラスチック製保護キャップ４０を更に有する。なお、図１では、バイアル１０と、アルミニウム製キャップ２０と、保護キャップ４０との位置関係を例示することを主目的としているため、有色ゴム栓と、アルミニウム製キャップ２０の上面に表示された情報Ａと、保護キャップ４０に表示された情報Ｂを省略している。これらについては、後述する。
【００１９】
図２は、本発明に係る薬剤充填バイアルの一例の縦断面図を示した模式図である。この図２では、バイアル１０の開口部は、有色ゴム栓５０で密封されている。そして、アルミニウム製キャップ２０の上面には、「薬剤を溶解または希釈するための溶解液」の情報Ａ６０が表示されている。また、保護キャップ４０をアルミニウム製キャップ２０に装着した状態で上面から観察した時、保護キャップ４０の上面のうち、有色ゴム栓５０に対応する部分に、「薬剤」の情報Ｂ７０が表示されている。なお、保護キャップ４０は鍔部９０を有し、アルミニウム製キャップ２０と保護キャップ４０とは、アルミニウム製キャップ２０の開口部より挿入された鍔部９０により係合して一体化している。
【００２０】
図３は、本発明に係る薬剤充填バイアルの別の一例の縦断面図を示した模式図である。この図３では、保護キャップ４０をアルミニウム製キャップ２０に装着した状態で上面から観察した時、保護キャップ４０の下面のうち、有色ゴム栓５０に対応する部分に、「薬剤」の情報Ｂ７０が表示されている。なお、図３において、透明プラスチック製保護キャップ４０がアルミニウム製キャップ２０と係合する鍔部９０を有さない態様を示しているが、これは任意の構成である。その他のバイアル１０、アルミニウム製キャップ２０などの構成は、図２と同じである。
【００２１】
図４は、本発明に係る薬剤充填バイアルのアルミニウム製キャップ２０に保護キャップ４０が装着された状態のキャップ部分の一例の平面図を示した模式図である。図４では、アルミニウム製キャップ２０の中央の開口から有色ゴム栓５０が露出している。また、アルミニウム製キャップ２０には保護キャップ４０が装着されている。図４の有色ゴム栓５０上の「薬剤」の情報Ｂ７０（この例では、「成分名○○○  ○○ｍｇ」）は、有色ゴム栓５０に記載されたものではなく、図２に示したように、透明プラスチック製保護キャップ４０の上面に記載されており、それが有色ゴム栓５０と重なった状態で視認することができる。また、アルミニウム製キャップ２０の上面には、「薬剤を溶解または希釈するための溶解液」の情報Ａ６０（この例では、「注射用水○○ｍＬで溶解」）が記載されており、情報Ａ６０は、透明プラスチック製保護キャップ４０を介して表示されている。
【００２２】
図５は、図４のキャップ部分から保護キャップ４０を取り外した状態の平面図を示した模式図である。この図５のように、保護キャップ４０を外したことにより、アルミニウム製キャップ２０の上面に表示された情報Ａ６０のみが表示される。
【００２３】
一般的に、薬剤用のバイアルでは、透明プラスチック製保護キャップをアルミニウム製キャップに装着したままでバイアルの保管や移動を行い、使用時にのみ、保護キャップを外してゴム栓にシリンジの針を挿入する。そのため、凍結乾燥薬剤などを封入したバイアルの場合、使用直前（保護キャップを外す直前）までは、テーブルなどに置かれたバイアルを上から見た際に、バイアルに封入されている薬剤の情報（情報Ｂに相当）が読み取れることが好ましい。
【００２４】
特許文献１の容器用表示ラベルの場合、分離ラベルに記載する情報として、薬剤名などの薬剤情報であることは記載されているが、「薬剤を溶解または希釈するための溶解液」の情報Ａ６０については記載がない。また、たとえ、特許文献１の表示ラベルにおいて、分離ラベルに情報Ａ６０を記載したとしても、ラベル本体から分離したその分離ラベルを容器の蓋（例えば、透明プラスチック製保護キャップ４０）に貼り付けることは可能であるが、使用時に蓋を外してしまうため、「薬剤を溶解または希釈するための溶解液」の情報Ａ６０が容器（バイアル）から離れてしまい、調製時の調剤者・医療従事者による人為的ミスを防止し、調製の信頼性を高めることはできない。
【００２５】
これに対して、本発明に係る薬剤充填バイアルによれば、使用直前まで、「薬剤」の情報Ｂ７０と、「薬剤を溶解または希釈するための溶解液」の情報Ａ６０とがバイアル１０の上面から読み取れるため、立ちながら調剤行為を行う場合でも、バイアル１０を持ち上げて側面のラベルに表示された「薬剤を溶解または希釈するための溶解液」の情報Ａ６０を読む手間がかからず、調製に関する情報を認識し易い（一般的なバイアルでは側面のラベルに情報Ａ６０に相当する情報が記載されていないこともある）ことに加えて、使用時（保護キャップ４０を外した時）でも、「薬剤を溶解または希釈するための溶解液」の情報Ａ６０がバイアル１０と一体となって表示されているため、調剤者・医療従事者による人為的ミスを防止し、調製の信頼性を高めることが可能である。
【００２６】
本発明に係る薬剤充填バイアルのバイアル１０は、ガラス製でもよいし、プラスチック製でもよい。バイアル１０は、ガラス製が好ましい。
【００２７】
薬剤３０としては、例えば、凍結乾燥剤、液剤などが挙げられる。
【００２８】
バイアル１０の開口部を密封している有色ゴム栓５０は、薬剤バイアルにおける公知のものを用いることができる。有色ゴム栓５０の色は、例えば、黒、グレーなどである。
【００２９】
本発明に係る薬剤充填バイアルのアルミニウム製キャップ２０は、その上面と下面の中央に前記の有色ゴム栓５０を露出するための開口を有するもので、薬剤バイアルにおける公知のものを用いて、アルミニウム製キャップ２０の上面に「薬剤を溶解または希釈するための溶解液」の情報Ａ６０を表示すればよい。
【００３０】
本発明の薬剤充填バイアルでは、「薬剤を溶解または希釈するための溶解液」の情報Ａとは、凍結乾燥剤の場合の溶解液、液剤の場合の希釈液、溶媒の種類、量、および使用禁忌溶媒の情報をいう。
【００３１】
＜保護キャップ＞
本発明に係る薬剤充填バイアルの透明プラスチック製保護キャップ４０は、薬剤バイアルにおける公知のものを用いて、保護キャップ４０の上面または下面に「薬剤」の情報Ｂ７０を直接記載（印刷）するか、または、当該情報Ｂが記載された有色または透明のシールを貼り付ければよい。
【００３２】
本発明の薬剤充填バイアルでは、「薬剤」の情報Ｂとは、製品名、一般名、含量の情報をいう。
【００３３】
本発明の薬剤充填バイアルでは、保護キャップ４０をアルミニウム製キャップ２０に装着した状態で上面から観察した時、保護キャップ４０の、アルミニウム製キャップ２０に対応する部分には、「薬剤」の情報Ｂ７０がない。すなわち、情報Ｂ７０の表示は、アルミニウム製キャップ２０の開口部に対応する部分の範囲内に配置され、情報Ｂ７０を表示する対応部分に情報Ａ６０表示部分の重複がないことが好ましい。
【００３４】
本発明に係る薬剤充填バイアルは、保護キャップ４０の、有色ゴム栓５０に対応する部分に情報Ｂ７０が表示されており、保護キャップ４０が装着された状態で、保護キャップ４０を介して、情報Ａ６０、情報Ｂ７０および有色ゴム栓５０を共に視認することができることが好ましい。このためには、例えば、保護キャップ４０の、有色ゴム栓５０に対応する部分に情報Ｂ７０が直接記載されているか、透明な台紙シールに情報Ｂ７０を記載すればよい。シールは保護キャップ４０の上面、下面に貼付して良い。これにより、有色ゴム栓５０の状況（刺針部位の種類や破損・劣化の状況、液漏れの有無、未使用であるかなど）を確認し易い。また、保護キャップ４０の、有色ゴム栓５０に対応する部分に情報Ｂ７０が直接記載されている場合、シールのコストや、保護キャップ４０の中心部にシールを貼り付ける際の貼り付けミスなどのデメリットもない。
【００３５】
本発明に係る薬剤充填バイアルは、情報Ｂ７０の文字の色が、保護キャップ４０をアルミニウム製キャップ２０に装着した状態で上面から観察した時、有色ゴム栓５０と重なった状態で視認可能な色であることが好ましい。例えば、有色ゴム栓５０の色が黒の場合、情報Ｂ７０の文字の色は白の組み合せ、有色ゴム栓５０の色がグレーの場合はその濃淡の程度によるものの、情報Ｂ７０の文字の色は白又は黒の組み合せ、などである。これにより、情報Ｂ７０が有色ゴム栓５０を背景色として強調されて視認しやすい。
【産業上の利用可能性】
【００３６】
本発明によれば、薬剤を混合して調製する際の、調製に関する情報を調剤者・医療従事者に認識し易くし、かつ、調剤者・医療従事者による人為的ミスを防止し、調製の信頼性を高めることが可能である。
【符号の説明】
【００３７】
１：薬剤充填バイアル
１０：バイアル
２０：アルミニウム製キャップ
３０：薬剤
４０：透明プラスチック製保護キャップ
５０：有色ゴム栓
６０：情報Ａ
７０：情報Ｂ
９０：鍔部
【図１】
2019177040.tif 000003
【図２】
2019177040.tif 000004
【図３】
2019177040.tif 000005
【図４】
2019177040.tif 000006
【図５】
2019177040.tif 000007